【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
アクセス端末においてベアラ・コンテキストを獲得することと；
前に要求されたリソースの解放を要求するために、ネットワークエンティティにリソース解放要求を送信することと；
リソース解放メッセージが、定義されたタイムアウト期間内に、前記リソース解放要求に応答して前記ネットワークエンティティから受信されるかを決定することと；
前記リソース解放メッセージが前記定義されたタイムアウト期間内に受信されないことの決定に応答して、前記アクセス端末と前記ネットワークエンティティとの間でのピア・ツー・ピアシグナリングを用いずに、前記アクセス端末において局所的に、前記ベアラ・コンテキストを非アクティブ化すること、ここで、前記非アクティブ化は、前記ベアラ・コンテキストに関連付けられた全てのトラフィックフローに対するリソース解放を開始する前記アクセス端末によってトリガされる、と；
どのベアラ・コンテキストが非アクティブ化されたかの記録を保持することと；
前記アクセス端末が前記ネットワークエンティティへの接続性を復元するときに、前記非アクティブ化した後に、前記ベアラ・コンテキストを前記ネットワークエンティティと同期化するために前記ネットワークエンティティにメッセージを送信すること、ここで、前記メッセージは、どのベアラ・コンテキストが前記アクセス端末によって局所的に非アクティブ化されたかを明示的または暗黙的に表示する、と；
を備える通信方法。
【請求項２】
アクセス端末においてベアラ・コンテキストを獲得することと；
前に要求されたリソースの解放を要求するために、ネットワークエンティティにリソース解放要求を送信することと；
リソース解放メッセージが、定義されたタイムアウト期間内に、前記リソース解放要求に応答して前記ネットワークエンティティから受信されるかを決定することと；
前記リソース解放メッセージが前記定義されたタイムアウト期間内に受信されないことの決定に応答して、前記アクセス端末と前記ネットワークエンティティとの間でのピア・ツー・ピアシグナリングを用いずに、前記アクセス端末において局所的に、前記ベアラ・コンテキストを非アクティブ化することと；
どのベアラ・コンテキストが非アクティブ化されたかの記録を保持することと；
前記アクセス端末が前記ネットワークエンティティへの接続性を復元するときに、前記非アクティブ化した後に、前記ベアラ・コンテキストを前記ネットワークエンティティと同期化するために前記ネットワークエンティティにメッセージを送信すること、ここで、前記メッセージは、どのベアラ・コンテキストが前記アクセス端末によって局所的に非アクティブ化されたかを明示的または暗黙的に表示する、と；
を備える通信方法。
【請求項３】
前記非アクティブ化は、前記ベアラ・コンテキストに関連付けられた全てのトラフィックフローに対するリソース解放を開始する前記アクセス端末によってトリガされ；
同期化するために前記ネットワークエンティティに送信されるメッセージは、トラッキングエリア更新要求を備える；
請求項２の方法。
【請求項４】
前記トラッキングエリア更新要求は、より低い層のプロセスによって提供される無線カバレッジへの復帰という表示に応答して送信される、請求項３の方法。
【請求項５】
前記非アクティブ化は、前記ベアラ・コンテキストに関連付けられた各パケットフィルタが無効と示される場合にトリガされる、請求項２の方法。
【請求項６】
同期化のために前記ネットワークエンティティに前記メッセージを送信することは、前記アクセス端末が無線カバレッジに戻った場合に前記メッセージを送信することを備える、請求項２の方法。
【請求項７】
同期化のために前記ネットワークエンティティに送られる前記メッセージは、前記アクセス端末においてアクティブな任意のベアラ・コンテキストを識別する、請求項２の方法。
【請求項８】
前記ベアラ・コンテキストは、パケットフィルタ情報およびサービス品質情報を備える、請求項２の方法。
【請求項９】
前記ベアラ・コンテキストは、前記アクセス端末によって開始されたリソース要求の結果として獲得される、請求項２の方法。
【請求項１０】
前記ネットワークエンティティは、移動性管理エンティティを備える、請求項２の方法。
【請求項１１】
アクセス端末においてベアラ・コンテキストを獲得することと、
前に要求されたリソースの解放を要求するために、ネットワークエンティティにリソース解放要求を送信することと、
リソース解放メッセージが、定義されたタイムアウト期間内に、前記リソース解放要求に応答して前記ネットワークエンティティから受信されるかを決定することと、
前記リソース解放メッセージが前記定義されたタイムアウト期間内に受信されないことの決定に応答して、前記アクセス端末と前記ネットワークエンティティとの間でのピア・ツー・ピアシグナリングを用いずに、前記アクセス端末において局所的に、前記ベアラ・コンテキストを非アクティブ化することと、
どのベアラ・コンテキストが非アクティブ化されたかの記録を保持することと；
を行うように構成されるベアラ・コンテキストマネジャと、
前記アクセス端末が前記ネットワークエンティティへの接続性を復元するときに、前記非アクティブ化の後に、前記ベアラ・コンテキストを前記ネットワークエンティティと同期化するために前記ネットワークエンティティにメッセージを送信すること、ここで、前記メッセージは、どのベアラ・コンテキストが前記アクセス端末によって局所的に非アクティブ化されたかを明示的または暗黙的に表示する、を行うように構成されたシンセサイザと、
を備える通信装置。
【請求項１２】
前記非アクティブ化は、前記ベアラ・コンテキストに関連付けられた全てのトラフィックフローに関するリソース解放を開始する前記アクセス端末によってトリガされ；
同期化するために前記ネットワークエンティティに送信されるメッセージは、トラッキングエリア更新要求を備える；
請求項１１の通信装置。
【請求項１３】
前記トラッキングエリア更新要求は、より低い層のプロセスによって提供される無線カバレッジへの復帰という表示に応答して送信される、請求項１２の方法。
【請求項１４】
前記非アクティブ化は、前記ベアラ・コンテキストに関連付けられた各パケットフィルタが無効と示された場合にトリガされる、請求項１１の装置。
【請求項１５】
アクセス端末においてベアラ・コンテキストを獲得するための手段と；
前に要求されたリソースの解放を要求するために、ネットワークエンティティにリソース解放要求を送信するための手段と；
リソース解放メッセージが、定義されたタイムアウト期間内に、前記リソース解放要求に応答して前記ネットワークエンティティから受信されるかを決定するための手段と；
前記リソース解放メッセージが前記定義されたタイムアウト期間内に受信されないことの決定に応答して、前記アクセス端末と前記ネットワークエンティティとの間でのピア・ツー・ピアシグナリングを用いずに、前記アクセス端末において局所的に、前記ベアラ・コンテキストを非アクティブ化するための手段と；
どのベアラ・コンテキストが非アクティブ化されたかの記録を保持するための手段と；
前記アクセス端末が前記ネットワークエンティティへの接続性を復元するときに、前記非アクティブ化の後に、前記ベアラ・コンテキストを前記ネットワークエンティティと同期化するために前記ネットワークエンティティにメッセージを送信するための手段、ここで、前記メッセージは、どのベアラ・コンテキストが前記アクセス端末によって局所的に非アクティブ化されたかを明示的または暗黙的に表示する、と、
を備える通信のための装置。
【請求項１６】
前記非アクティブ化は、前記ベアラ・コンテキストに関連付けられた全てのトラフィックフローに関するリソース解放を開始する前記アクセス端末によってトリガされ；
同期化するために前記ネットワークエンティティに送信られる前記メッセージは、トラッキングエリア更新要求を備える；
請求項１５の装置。
【請求項１７】
前記トラッキングエリア更新要求は、より低い層のプロセスによって提供される無線カバレッジへの復帰という表示に応答して送信される、請求項１６の装置。
【請求項１８】
前記非アクティブ化は、前記ベアラ・コンテキストに関連付けられた各パケットフィルタが無効と示される場合にトリガされる、請求項１５の装置。
【請求項１９】
コンピュータに：
アクセス端末においてベアラ・コンテキストを獲得させることと；
前に要求されたリソースの解放を要求するために、ネットワークエンティティにリソース解放要求を送信させること；
リソース解放メッセージが、定義されたタイムアウト期間内に、前記リソース解放要求に応答して前記ネットワークエンティティから受信されるかを決定させることと；
前記リソース解放メッセージが前記定義されたタイムアウト期間内に受信されないことの決定に応答して、前記アクセス端末と前記ネットワークエンティティとの間でのピア・ツー・ピアシグナリングを用いずに、前記アクセス端末において局所的に、前記ベアラ・コンテキストを非アクティブ化させることと；
どのベアラ・コンテキストが非アクティブ化されたかの記録を保持させることと；
前記アクセス端末が前記ネットワークエンティティへの接続性を復元するときに、前記非アクティブ化の後に、前記ベアラ・コンテキストを前記ネットワークエンティティと同期化するために前記ネットワークエンティティにメッセージを送信させること、ここで、前記メッセージは、どのベアラ・コンテキストがアクセス端末によって局所的に非アクティブ化されたかを明示的または暗黙的に表示する、と、
のためのコードを備えるコンピュータプログラム。
【請求項２０】
前記非アクティブ化は、前記ベアラ・コンテキストに関連付けられた全てのトラフィックフローに関するリソース解放を開始する前記アクセス端末によってトリガされ；
同期化するために前記ネットワークエンティティに送られる前記メッセージは、トラッキングエリア更新要求を備える；
請求項１９のコンピュータプログラム。
【請求項２１】
前記トラッキングエリア更新要求は、より低い層のプロセスによって提供される無線カバレッジへの復帰という表示に応答して送信される、請求項２０のコンピュータプログラム。
【請求項２２】
前記非アクティブ化は、前記ベアラ・コンテキストに関連付けられた各パケットフィルタが無効と示される場合にトリガされる、請求項１９のコンピュータプログラム。
【手続補正２】
【補正対象書類名】明細書
【補正対象項目名】００８２
【補正方法】変更
【補正の内容】
【００８２】
開示された態様の以上の記述は、当業者が本開示を実施および使用することを可能にするために提供される。これらの実施形態に対する様々な変更は当業者には容易に明らかであり、本明細書において定義された包括的な原理は、本開示の精神または範囲を逸脱することなく他の実施形態に適用可能である。従って、本開示は本明細書に記載の態様に制限されるものではなく、本明細書で開示される原理および新規な特徴と合致する最も広い範囲が与えられるべきである。
以下に、出願当初の特許請求の範囲に記載された発明を付記する。
［１］  アクセス端末においてベアラ・コンテキストを獲得することと；  前記アクセス端末において前記ベアラ・コンテキストを非アクティブ化することと；  前記非アクティブ化した後に、前記ベアラ・コンテキストをネットワークエンティティと同期化することと；  を備える通信方法。
［２］  前記非アクティブ化は、前記ベアラ・コンテキストに関連付けられた全てのトラフィックフローに対するリソース解放を開始する前記アクセス端末によってトリガされ；  前記非アクティブ化は、前記アクセス端末と前記ネットワークエンティティとの間でピア・ツー・ピアシグナリングを用いずに、前記アクセス端末において局所的に実行され；  前記同期化は、トラッキングエリア更新要求を前記ネットワークエンティティに送信することを備える；  ［１］の方法。
［３］  前記トラッキングエリア更新要求は、より低い層のプロセスによって提供される無線カバレッジへの復帰という表示に応答して送信される、［2］の方法。
［４］  前記非アクティブ化は、前記アクセス端末が前記ネットワークティティと通信不可能な場合にトリガされる、［1］の方法。
［５］  リソース解放要求を前記ネットワークエンティティに送信することをさらに備え、前記非アクティブ化は、前記アクセス端末が、前記リソース解放要求に応答して、リソース解放メッセージを前記ネットワークエンティティから受信しない場合にトリガされる、［1］の方法。
［６］  前記非アクティブ化は、前記ベアラ・コンテキストに関連付けられた各パケットフィルタが無効と示される場合にトリガされる、［1］の方法。
［７］  前記同期化は、前記ベアラ・コンテキストが非アクティブ化されたことを示すメッセージを送信することを備える、［1］の方法。
［８］  前記メッセージは、前記アクセス端末が無線カバレッジに戻った場合に送信される、［7］の方法。
［９］  前記メッセージは、前記アクセス端末においてアクティブな任意のベアラ・コンテキストを識別する、［7］の方法。
［１０］  前記ベアラ・コンテキストは、パケットフィルタ情報およびサービス品質情報を備える、［1］の方法。
［１１］  前記ベアラ・コンテキストは、前記アクセス端末によって開始されたリソース要求の結果として獲得される、［1］の方法。
［１２］  前記ネットワークエンティティは、移動性管理エンティティを備える、［1］の方法。
［１３］  アクセス端末においてベアラ・コンテキストを獲得するように構成され、前記アクセス端末において前記ベアラ・コンテキストを非アクティブ化するようにさらに構成されたベアラ・コンテキストマネジャと；   前記非アクティブ化の後に、前記ベアラ・コンテキストをネットワークエンティティと同期化するように構成された同期化器と；  を備える通信装置。
［１４］  前記非アクティブ化は、前記ベアラ・コンテキストに関連付けられた全てのトラフィックフローに関するリソース解放を開始する前記アクセス端末によってトリガされ；  前記非アクティブ化は、前記アクセス端末と前記ネットワークエンティティとの間でピア・ツー・ピアシグナリングを用いずに前記アクセス端末において局所的に実行され；  前記同期化は、トラッキングエリア更新要求を前記ネットワークエンティティに送信することを備える；  ［13］の通信装置。
［１５］  前記トラッキングエリア更新要求は、より低い層のプロセスによって提供される無線カバレッジへの復帰という表示に応答して送信される、［14］の方法。
［１６］  前記非アクティブ化は、前記アクセス端末が前記ネットワークティティと通信不可能な場合にトリガされる、［13］の装置。
［１７］  前記非アクティブ化は、前記ベアラ・コンテキストに関連付けられた各パケットフィルタが無効と示された場合にトリガされる、［13］の装置。
［１８］  前記同期化は、前記ベアラ・コンテキストが非アクティブ化されたことを示すメッセージを送信することを備える、［13］の装置。
［１９］  アクセス端末においてベアラ・コンテキストを獲得するための手段と；  前記アクセス端末において前記ベアラ・コンテキストを非アクティブ化するための手段と；  前記非アクティブ化の後に、前記ベアラ・コンテキストをネットワークエンティティと同期化するための手段と；  を備える通信方法。
［２０］  前記非アクティブ化は、前記ベアラ・コンテキストに関連付けられた全てのトラフィックフローに関するリソース解放を開始する前記アクセス端末によってトリガされ；  前記非アクティブ化は、前記アクセス端末と前記ネットワークエンティティとの間でピア・ツー・ピアシグナリングを用いずに前記アクセス端末において局所的に実行され；  前記同期化は、トラッキングエリア更新要求を前記ネットワークエンティティに送信することを備える；  ［19］の装置。
［２１］  前記トラッキングエリア更新要求は、より低い層のプロセスによって提供される無線カバレッジへの復帰という表示に応答して送信される、［20］の装置。
［２２］  前記非アクティブ化は、前記アクセス端末が前記ネットワークティティと通信不可能な場合にトリガされる、［19］の装置。
［２３］  前記非アクティブ化は、前記ベアラ・コンテキストに関連付けられた各パケットフィルタが無効と示される場合にトリガされる、［19］の装置。
［２４］  前記同期化は、前記ベアラ・コンテキストが非アクティブ化されたことを示すメッセージを送信することを備える、［19］の装置。
［２５］  コンピュータ読み取り可能媒体を備えるコンピュータプログラム製品であって、前記コンピュータ読み取り可能媒体は、コンピュータに：  アクセス端末においてベアラ・コンテキストを獲得させるためのコードと；  前記アクセス端末において前記ベアラ・コンテキストを非アクティブ化させるためのコードと；  前記非アクティブ化の後に、前記ベアラ・コンテキストをネットワークエンティティと同期化させるためのコードと；  を備える、コンピュータプログラム製品。
［２６］  前記非アクティブ化は、前記ベアラ・コンテキストに関連付けられた全てのトラフィックフローに関するリソース解放を開始する前記アクセス端末によってトリガされ；  前記非アクティブ化は、前記アクセス端末と前記ネットワークエンティティとの間でピア・ツー・ピアシグナリングを用いずに前記アクセス端末において局所的に実行され；  前記同期化は、トラッキングエリア更新要求を前記ネットワークエンティティに送信することを備える；  ［25］のコンピュータプログラム製品。
［２７］  前記トラッキングエリア更新要求は、より低い層のプロセスによって提供される無線カバレッジへの復帰という表示に応答して送信される、［26］のコンピュータプログラム製品。
［２８］  前記非アクティブ化は、前記アクセス端末が前記ネットワークティティと通信不可能な場合にトリガされる、［25］のコンピュータプログラム製品。
［２９］  前記非アクティブ化は、前記ベアラ・コンテキストに関連付けられた各パケットフィルタが無効と示される場合にトリガされる、［25］のコンピュータプログラム製品。
［３０］  前記同期化は、前記ベアラ・コンテキストが非アクティブ化されたことを示すメッセージを送信することを備える、［25］のコンピュータプログラム製品。
［３１］  アクセス端末のためにベアラ・コンテキストを保持することと；  前記ベアラ・コンテキストが前記アクセス端末において非アクティブ化されたことを示すメッセージを前記アクセス端末から受信することと；  前記受信されたメッセージに応答して、前記保持されたベアラ・コンテキストの状態を更新することと；  を備える通信方法。
［３２］  メッセージはトラッキングエリア更新要求を備える、［31］の方法。
［３３］  前記メッセージは、前記アクセス端末においてアクティブである任意のベアラ・コンテキストを識別する、［31］の方法。
［３４］  前記メッセージによって識別された任意のベアラ・コンテキストを、前記アクセス端末のために保持された少なくとも1つのベアラ・コンテキストのリストと比較することによって、前記保持されたベアラ・コンテキストが非アクティブ化されたと決定することをさらに備える、［33］の方法。
［３５］  前記状態を更新することは、前記保持されたベアラ・コンテキストを非アクティブ化することを備える、［31］の方法。
［３６］  前記状態を更新することは、前記保持されたベアラ・コンテキストに関連付けられた任意のリソースを解放することを備える、［31］の方法。
［３７］  前記アクセス端末からのリソース要求に応答して、前記ベアラ・コンテキストを設定することをさらに備える、［31］の方法。
［３８］  前記メッセージの受信は、前記アクセス端末に送信されているリソース解放メッセージの結果ではない、［37］の方法。
［３９］  前記ベアラ・コンテキストは、パケットフィルタ情報およびサービス品質情報を備える、［31]の方法。
［４０］  前記ベアラ・コンテキストは、移動性管理エンティティにおいて保持される、［31]の方法。
［４１］  アクセス端末のためにベアラ・コンテキストを保持するように構成されたベアラ・コンテキストマネジャと；  前記ベアラ・コンテキストが前記アクセス端末において非アクティブ化されたことを示すメッセージを前記アクセス端末から受信するように構成された通信コントローラと；  を備える通信装置であって、  前記ベアラ・コンテキストマネジャは、前記受信されたメッセージに応答して前記保持されたベアラ・コンテキストの状態を更新するようにさらに構成される、  通信装置。
［４２］  メッセージはトラキングエリア更新要求を備える、［41］の装置。
［４３］  前記メッセージは、前記アクセス端末においてアクティブである任意のベアラ・コンテキストを識別する、［41］の装置。
［４４］  前記状態を更新することは、前記保持されたベアラ・コンテキストを非アクティブ化することを備える、［41］の装置。
［４５］  前記状態を更新することは、前記保持されたベアラ・コンテキストに関連付けられた任意のリソースを解除することを備える、［41］の装置。
［４６］  アクセス端末のためにベアラ・コンテキストを保持するための手段と；  前記ベアラ・コンテキストが前記アクセス端末において非アクティブ化されたことを示すメッセージを前記アクセス端末から受信するための手段と；  前記受信されたメッセージに応答して、前記保持されたベアラ・コンテキストの状態を更新するための手段と；  を備える通信装置。
［４７］  メッセージはトラッキングエリア更新要求を備える、［46］の装置。
［４８］  前記メッセージは、前記アクセス端末においてアクティブである任意のベアラ・コンテキストを識別する、［46］の装置。
［４９］  前記状態を更新することは、前記保持されたベアラ・コンテキストを非アクティブ化することを備える、［46］の装置。
［５０］  前記状態を更新することは、前記保持されたベアラ・コンテキストに関連付けられた任意のリソースを解放することを備える、［46］の装置。
［５１］  コンピュータ読み取り可能媒体を備えるコンピュータプログラム製品であって、前記コンピュータ読み取り可能媒体は、コンピュータに：  アクセス端末においてベアラ・コンテキストを保持させるためのコードと；  前記ベアラ・コンテキストが前記アクセス端末において非アクティブ化されたことを示すメッセージを前記アクセス端末から受信させるためのコードと；  前記受信されたメッセージに応答して、前記保持されたベアラ・コンテキストの状態を更新させるためのコードと；  を備える、コンピュータプログラム製品。
［５２］  メッセージはトラッキングエリア更新要求を備える、［51］のコンピュータプログラム製品。
［５３］  前記メッセージは、前記アクセス端末においてアクティブである任意のベアラ・コンテキストを識別する、［51］のコンピュータプログラム製品。
［５４］  前記状態を更新することは、前記保持されたベアラ・コンテキストを非アクティブ化することを備える、［51］のコンピュータプログラム製品。
［５５］  前記状態を更新することは、前記保持されたベアラ・コンテキストに関連付けられた任意のリソースを解放することを備える、［51］のコンピュータプログラム製品。